【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
濾過媒体と該濾過媒体の少なくとも一部に沿って設けられる枠組立体とを備え、濾液成分を取除きながらキャリア流体の通過を可能にする該濾過媒体の入口面と出口面とを有する、フィルタ製品であって、該枠組立体が、
長さを有しかつ該濾過媒体の少なくとも該一部に沿って延在し、該濾過媒体の第１の側上において該濾過媒体の縁と支持接触しかつそれに近接するように配置された複数の媒体係合要素を備える支持枠と、
長さを有しかつ該濾過媒体の少なくとも該一部に沿って延在し、該濾過媒体の第２の側上において該濾過媒体の該縁と支持接触しかつそれに近接するように配置された複数の媒体係合要素を備える押え枠と、
を備え、
該支持枠および押え枠が、相互作用するように一緒に組立てられることにより該濾過媒体の該縁の少なくとも一部に近接する枠組立体を構成し、該支持枠の該媒体係合要素が該押え枠の該媒体係合要素と相互作用することにより、該濾過媒体とその第１および第２の側において接触することによってそれらの間に該濾過媒体を支持し、該支持枠と該押え枠とのうちの少なくとも一方が、さらに、その媒体係合要素から間隔が空けられた壁部を含むことにより、該濾過媒体の該縁の該一部に沿って延びるように位置付けされる溝を画定し、さらに、該支持枠および押え枠の少なくとも一方が備える複数の媒体係合要素の各々が、該壁部から離れるように個別にかつ内側に弾力的に傾斜する、フィルタ製品。
【請求項２】
前記濾過媒体が、前記支持枠と前記押え枠との前記媒体係合要素間の圧縮ゾーン内に位置付けられ、さらに、該媒体係合要素から間隔が空けられた前記壁部に向って該圧縮ゾーンを越えて延在する、請求項１に記載のフィルタ製品。
【請求項３】
前記支持枠と前記押え枠とがそれぞれ、少なくとも１つの側部枠部品と端部枠部品とを備え、各側部枠部品が該側部枠部品に沿って連続して配置された前記複数の媒体係合要素を備える、請求項２に記載のフィルタ製品。
【請求項４】
前記媒体係合要素が、一続きの頂部および谷部を画定する歯状突起を備え、前記支持枠の側部媒体係合要素が、前記押え枠の側部媒体係合要素と噛合う、請求項３に記載のフィルタ製品。
【請求項５】
前記支持枠および前記押え枠の各々が、一対の間隔が空けられた側部枠部品と一対の端部枠部品とを備え、各側部枠部品が、該側部枠部品に沿って連続して配置された前記複数の媒体係合要素を備え、該媒体係合要素が、一続きの頂部および谷部を画定する歯状突起を備えることにより、該支持枠の側部媒体係合要素が該押え枠の側部媒体係合要素と噛合う、請求項４に記載のフィルタ製品。
【請求項６】
濾過媒体と該濾過媒体の少なくとも一部に沿って設けられる枠組立体とを備え、濾液成分を取除きながらキャリア流体の通過を可能にする該濾過媒体の入口面と出口面とを有するフィルタ製品であって、該枠組立体が、
長さを有しかつ該濾過媒体の少なくとも該一部に沿って延在し、壁部と、該壁部から間隔が空けられ該濾過媒体の第１の側上において該濾過媒体の縁と支持接触しかつそれに近接するように配置された少なくとも１つの媒体係合要素と、を備える支持枠と、
長さを有しかつ該濾過媒体の少なくとも該一部に沿って延在し、壁部と、該壁部から間隔が空けられ該濾過媒体の第２の側上において該濾過媒体の該縁と支持接触しかつそれに近接するように配置された少なくとも１つの媒体係合要素と、を備える押え枠と、
を備え、
該支持枠および押え枠が、相互作用するように一緒に組立てられることにより該濾過媒体の該縁の少なくとも一部に近接する枠組立体を構成し、該支持枠の該媒体係合要素が該押え枠の該媒体係合要素と相互作用することにより、該濾過媒体とその第１および第２の側において接触することによりそれらの間に該濾過媒体を支持し、該支持枠および該押え枠の一方の壁部の実質的全てが、該一方の媒体係合要素と他方の壁部との間に位置付けられる、
フィルタ製品。
【請求項７】
濾過媒体と該濾過媒体の少なくとも一部に沿って設けられる枠組立体とを備え、濾液成分を取除きながらキャリア流体の通過を可能にする該濾過媒体の入口面と出口面とを有するフィルタ製品であって、該枠組立体が、
長さを有し該濾過媒体の少なくとも該一部に沿って延在し、該濾過媒体の第１の側上において該濾過媒体の縁と支持接触しかつそれに近接するように配置された少なくとも１つの媒体係合要素を備える支持枠と、
長さを有し該濾過媒体の少なくとも該一部に沿って延在し、該濾過媒体の第２の側上において該濾過媒体の該縁と支持接触しかつそれに近接するように配置された少なくとも１つの媒体係合要素を備える押え枠と、
を備え、
該支持枠および押え枠が、相互作用するように一緒に組立てられることにより該濾過媒体の該縁の少なくとも一部に近接する枠組立体を構成し、該支持枠の該媒体係合要素が該押え枠の該媒体係合要素と相互作用することにより、該濾過媒体とその第１および第２の側において接触することによりそれらの間に該濾過媒体を支持し、該支持枠と該押え枠とのうちの少なくとも一方が、該一方の媒体係合要素から離れた壁部をさらに含み、該一方の媒体係合要素は該壁部から離れるように傾斜し、さらに、傾斜した該媒体係合要素の各々は個別にかつ内側に弾力的に曲がることができる、
フィルタ製品。
【請求項８】
濾過媒体と該濾過媒体の少なくとも一部に沿って設けられる枠組立体とを備え、濾液成分を取除きながらキャリア流体の通過を可能にする該濾過媒体の入口面と出口面とを有する、フィルタ製品であって、該枠組立体が、
長さを有しかつ該濾過媒体の少なくとも該一部に沿って延在し、該濾過媒体の第１の側上において該濾過媒体の縁と支持接触しかつそれに近接するように配置された複数の媒体係合要素を備える支持枠と、
長さを有しかつ該濾過媒体の少なくとも該一部に沿って延在し、該濾過媒体の第２の側上において該濾過媒体の該縁と支持接触しかつそれに近接するように配置された複数の媒体係合要素を備える押え枠と、
を備え、
該支持枠および押え枠が、相互作用するように一緒に組立てられることにより該濾過媒体の該縁の少なくとも一部に近接する枠組立体を構成し、該支持枠の該媒体係合要素が該押え枠の該媒体係合要素と相互作用することにより、該濾過媒体とその第１および第２の側において接触することによってそれらの間に該濾過媒体を支持し、該支持枠および該押え枠の少なくとも一方が、さらに、その媒体係合要素から間隔が空けられた壁部を含むことにより、該濾過媒体の該縁の該一部に沿って延びるように位置付けされる溝を画定し、
該支持枠および押え枠の各々は、少なくとも１つの側部枠部品及び端部枠部品を有し、各側部枠部品に沿って該複数の媒体係合要素が直列に配置され、
該支持枠および押え枠の端部枠部品は端部媒体係合要素を有し、該支持枠の端部媒体係合要素および該押え枠の端部媒体係合要素は、互いに向かう方向に延びて、該濾過媒体の端部近傍を固定するための、該支持枠の端部媒体係合要素と該押え枠の端部媒体係合要素との間の濾過媒体圧縮ゾーンを画定し、該支持枠の端部枠部品は、壁部分によって該支持枠の端部媒体係合要素から分離された端壁を有し、それにより該端壁と該支持枠の端部媒体係合要素との間に溝が画定され、前記押え枠の端部枠部品は壁部分によって該押え枠の端部媒体係合要素から分離された端ガスケット壁を有し、それにより該端ガスケット壁と前記押え枠の端部媒体係合要素との間に溝が画定され、該支持枠の端壁は該押え枠に画定された該溝の内部に配置される、フィルタ製品。